(57)【要約】【課題】  組み付け工数が増加して煩雑となることがなく、部品点数を低減し小型化に寄与するとともに、飾り部材が機敏に動作し、迫力ある演出動作を実現可能な遊技機用演出装置及びそれを備えた遊技機を提供する。【解決手段】ソレノイド２０が、遊技機の予め定められた場所役物装置本体の前面又は遊技盤２の盤面２ａに取り付けられる取付板１０の後面側にプランジャ２２が前後方向に直線的に変位するように配置され、ソレノイド２０のプランジャ２２のヘッド部２３に連繋されプランジャ２２の直線運動を回転運動に変換する梃子部材３０に、取付板１０の後面側から前面側に跨って延びるアーム部３２が形成され、そのアーム部３２の先端部３２ａに演出動作する飾り部材４０が連結されている。【選択図】  図３
2010029577.tif 000002
【特許請求の範囲】
【請求項１】
遊技機の予め定められた場所に取り付けられる取付板と、
前記取付板の第１の表面側で、該取付板に近い突出位置と遠い後退位置との間で前記取付板の厚み方向に沿ってプランジャが直線的に変位するように配置されたソレノイドと、
前記取付板の第１の表面側から反対側の第２の表面側に跨って延びるアーム部を有し、前記プランジャに連繋されるとともに、前記取付板に平行な回動軸線周りに回動可能に取り付けられ、前記プランジャの前記突出位置と後退位置との間の変位により前記アーム部の先端部が前記取付板の第２の表面側における所定の第１位置と第２位置との間で変位する梃子部材と、
前記アーム部の先端部に連結又は一体的に形成され、前記プランジャの前記突出位置と後退位置との間の変位により、前記所定の第１位置と第２位置との間で演出動作する飾り部材と、
を備えることを特徴とする遊技機用演出装置。
【請求項２】
前記梃子部材は、前記取付板の第２の表面側から見たとき、前記回動軸線が前記ソレノイドの本体部と重なるように取り付けられている請求項１に記載の遊技機用演出装置。
【請求項３】
前記梃子部材は、前記取付板の第２の表面側から見たとき、前記アーム部の先端部が前記ソレノイドの本体部と重なる領域内で変位するように取り付けられている請求項１又は２に記載の遊技機用演出装置。
【請求項４】
前記梃子部材のアーム部は、基端部から前記先端部にかけて前記回動軸線と先端部とを繋ぐ直線に対して側方に膨らむ形態でクランク状、フック状又はコ字状に形成されている請求項１ないし３に記載の遊技機用演出装置。
【請求項５】
前記取付板の第１の表面側に取り付けられ、前記ソレノイドと梃子部材とを収容するケース体を備え、
前記ケース体は、前記梃子部材の回動軸線方向に分割されるベース体とカバー体とで形成されており、それらベース体及びカバー体には、前記梃子部材の回動軸をそれぞれ軸支するための軸孔が２対、前記プランジャの中心軸に対して対称的に形成されている請求項１ないし４のいずれか１項に記載の遊技機用演出装置。
【請求項６】
前記飾り部材は、全体又は一部が質がやわらかい又は柔軟性を有する材質で形成されており、前記アーム部の先端部の変位に伴って該先端部を起点として振動や揺動などの演出動作が伝播される請求項１ないし５のいずれか１項に記載の遊技機用演出装置。
【請求項７】
請求項１ないし６のいずれか１項に記載の遊技機用演出装置を備えることを特徴とする遊技機。
【発明の詳細な説明】
【技術分野】
【０００１】
本発明は、遊技機用演出装置及びそれを備えた遊技機に関する。
【背景技術】
【０００２】
近年のぱちんこ機（遊技機）において、遊技盤の前面側（遊技者側）に形成される遊技領域では、液晶表示器などの可変表示装置を用いてリーチ予告演出、リーチ演出、大当たり予告演出、大当たり演出等の演出表示を多様化させると共に、その可変表示装置の演出表示と併せて役物装置などに動きを与え、盤面全体でさらには遊技機全体で演出を行い、視覚的な興趣を高める工夫が提案されている。
【０００３】
【特許文献１】特開２００６−２８０７５０号公報
【０００４】
特許文献１の遊技機は、前面側から見たときに、単一の文字を象った形状をなし、全体として立体的に形成された立体文字装飾体（飾り部材）を、演出領域内において駆動機構によって所定パターンで動作させるものである。具体的には、ケーシングの前面側に立体装飾体を回動可能に支持するとともに、ケーシングの背面側に立体装飾体に対応して盤面に平行にソレノイドを配置し、そのソレノイドのプランジャに一端を連結した駆動レバー（梃子部材）が、前後方向に延びる（ケーシングを貫通する）回動軸を中心として上下方向に回動（揺動）し、その駆動レバーの他端に形成された前後方向にケーシングを貫通して延びる駆動軸が立体文字装飾体に連結されて、ソレノイドのプランジャが駆動したときに、駆動レバーの駆動軸を介して立体文字装飾体が回動軸周りに回動するものである。
【０００５】
このように、ケーシング等の前面側で演出動作させるものは、上記のように可動体（立体文字装飾体）自身をまずケーシングに可動（回動）可能に固定し、その背後から駆動機構を作用させることで可動体（立体文字装飾体）を演出動作させるものが一般的である。
【発明の開示】
【発明が解決しようとする課題】
【０００６】
しかしながら、可動体（立体文字装飾体）と駆動機構とをそれぞれ別々にケーシングに固定することとなり、組み付け工数が増加して煩雑となるだけでなく、部品点数の増加や大型化する問題がある。また、可動体の可動（回動）は、ソレノイド（プランジャ）に連結される駆動レバーの移動が間接的に伝達されるため、機敏に動作することができず迫力に欠けてしまうという恐れがある。
【０００７】
本発明の課題は、上記実情を鑑みてなされたものであり、組み付け工数が増加して煩雑となることがなく、部品点数を低減し小型化に寄与するとともに、飾り部材が機敏に動作し、迫力ある演出動作を実現可能な遊技機用演出装置及びそれを備えた遊技機を提供することにある。
【課題を解決するための手段】
【０００８】
上記課題を解決するために、本発明の遊技機用演出装置は、
遊技機の予め定められた場所に取り付けられる取付板と、
取付板の第１の表面側で、該取付板に近い突出位置と遠い後退位置との間で取付板の厚み方向に沿ってプランジャが直線的に変位するように配置されたソレノイドと、
取付板の第１の表面側から反対側の第２の表面側に跨って延びるアーム部を有し、プランジャに連繋されるとともに、取付板に平行な回動軸線周りに回動可能に取り付けられ、プランジャの突出位置と後退位置との間の変位によりアーム部の先端部が取付板の第２の表面側における所定の第１位置と第２位置との間で変位する梃子部材と、
アーム部の先端部に連結又は一体的に形成され、プランジャの突出位置と後退位置との間の変位により、所定の第１位置と第２位置との間で演出動作する飾り部材と、を備えることを特徴とする。
【０００９】
ここで、上記遊技機用演出装置の具体的な態様としては、
遊技盤に配設される装飾装置本体の前面又は遊技盤の盤面に取り付けられる取付板と、
取付板の後面側で、前方側の突出位置と後方側の後退位置との間で前後方向にプランジャが直線的に変位するように配置されたソレノイドと、
取付板の後面側から前面側に跨って延びるアーム部を有し、プランジャの前端部に連繋されるとともに、遊技盤に平行な回動軸線周りに回動可能に取り付けられ、プランジャの突出位置と後退位置との間の変位によりアーム部の先端部が取付板の前面側における所定の第１位置と第２位置との間で変位する梃子部材と、
アーム部の先端部に連結又は一体的に形成され、プランジャの突出位置と後退位置との間の変位により、所定の第１位置と第２位置との間で演出動作する飾り部材と、を備えることを特徴とする。
【００１０】
また、上記課題を解決するために、本発明の遊技機は、
以上のような構成を有する遊技機用演出装置を備えることを特徴とする。
【発明の効果】
【００１１】
上記本発明の遊技機用演出装置によれば、ソレノイドが、遊技機の予め定められた場所に取り付けられる取付板の第１の表面側にプランジャがその取付板の厚み方向に直線的に変位するように配置されるので、取付板に対してソレノイドを省スペースで組み付けることができる。具体的には、ソレノイドが、装飾装置本体の前面又は遊技盤の盤面に取り付けられる取付板の第１の表面側として後面側にプランジャが前後方向に直線的に変位するように配置されるので、盤面方向におけるコンパクト化及び小型化を図ることができる。
【００１２】
そして、ソレノイドのプランジャ（前端部）に連繋されプランジャの直線運動を回転運動に変換する梃子部材に、取付板の第１の表面側（後面側）から第２の表面側（前面側）に跨って延びるアーム部が形成され、そのアーム部の先端部に演出動作する飾り部材が連結されるので、飾り部材を取付板に固定する必要がなくなり、組み付けが簡単で部品点数の低減、並びに小型化に寄与している。さらには、飾り部材が直接梃子部材（アーム部の先端部）に連結されているので、ソレノイドのプランジャの駆動が梃子部材と連動する形で直接的に飾り部材に伝達され、演出動作が機敏になり、迫力ある演出動作が実現可能となる。また、飾り部材を梃子部材の先端部に一体的に形成する場合にも、同様の効果を奏する。なお、「連結」する態様としては、飾り部材を梃子部材に対して可動可能又は固定的に連結することができる。
【００１３】
また、遊技機用演出装置において梃子部材は、取付板の第２の表面側から見たとき（前から見たとき）、回動軸線がソレノイドの本体部と重なるように取り付けることができる。これによれば、梃子部材の回動軸線が本体部と重なる位置となるので、ソレノイドのプランジャ（連繋部分）と回動軸線（回動軸）が近づき、プランジャのストロークに対して梃子部材を大きな回動範囲で回動させることができる。ひいては、梃子部材のアーム部の先端部に連結される飾り部材の移動量も大きくなり、迫力ある演出動作を行うことが可能となる。
【００１４】
また、梃子部材は、取付板の第２の表面側から見たとき（前から見たとき）、アーム部の先端部がソレノイドの本体部と重なる領域内で変位するように取り付けることができる。これによれば、取付板に対してコンパクト化及び小型化を図ることができ、例えば装飾装置において遊技機用演出装置周辺の他の構成部品の配置スペースの自由度を阻害することがない。
【００１５】
そして、梃子部材のアーム部は、基端部から先端部にかけて回動軸線と先端部とを繋ぐ直線に対して側方に膨らむ形態でクランク状、フック状又はコ字状に形成することができる。これによれば、アーム部が基端部から先端部にかけ側方に膨らむ形態で形成されているので、アーム部の先端部に連結される飾り部材が取付板の前面から恰も浮き上がっているかの様に形成することができ、飾り部材をその状態で演出動作することで、遊技者に大きな印象を与え、視覚的な興趣を向上させることができる。
【００１６】
また、遊技機用演出装置は、取付板の第１の表面側（後面側）に取り付けられ、ソレノイドと梃子部材とを収容するケース体を備え、
ケース体は、梃子部材の回動軸線方向に分割されるベース体とカバー体とで形成されており、それらベース体及びカバー体には、梃子部材の回動軸をそれぞれ軸支するための軸孔が２対、プランジャの中心軸に対して対称的に形成することができる。
【００１７】
これによれば、ケース体を構成するベース体及びカバー体の軸孔がプランジャの中心軸に対して対称的に形成されているので、ケース体に対して飾り部材を対称的に動作させる場合に、ソレノイド及びケース体を共用化することができ、製造コストの低減を図ることができる。
【００１８】
また、飾り部材は、全体又は一部を質がやわらかい又は柔軟性を有する材質で形成し、アーム部の先端部の変位に伴って該先端部を起点として振動や揺動などの演出動作を伝播するよう構成することができる。これによれば、アーム部の先端部を起点として飾り部材に不規則な動作（変位）を与えることが可能となり、演出効果の向上を図ることができる。質がやわらかい又は柔軟性を有する材質としては、ゴム、シリコーンゴム、エラストマーなどの他に、繊維などの線材や、その線材を撚り合わせたもの、薄状物などが含まれる。
【００１９】
また、飾り部材は、質が硬く一定の形体を有する（固形）材質で形成することができる。これによれば、上述のごとく、アーム部の先端部とともに、規則的に機敏な動作を与えることが可能となる。
【００２０】
上記本発明の遊技機によれば、組み付け工数が増加することなく、部品点数を低減し小型化に寄与するとともに、飾り部材が機敏に動作し、迫力ある演出動作を実施することが可能な遊技機を実現することができる。
【発明を実施するための最良の形態】
【００２１】
以下、本発明の実施形態を図面を参照して説明する。図１は本発明の実施形態に係る遊技機の一例を示す正面図、図２は本発明の実施形態に係る遊技機用演出装置の一例を示す斜視図、図３は図２の演出装置の分解斜視図、図４はソレノイドが消磁状態における使用状態を示す説明図、図５はソレノイドが励磁状態における使用状態を示す説明図である。
【００２２】
図１に示すように、ぱちんこ機（遊技機）１には、遊技盤２が設けられている。この遊技盤２の盤面２ａ（前面）には、円形の遊技領域２ｂが形成されており、この遊技領域２ｂは略左側半分に外周縁に沿って円弧状のガイドレール２ｃが配置されている。そして、遊技領域２ｂの中央には、液晶表示部３や発光装置４、並びにその発光装置４の左右両側の遊技機用演出装置５ａ，５ｂ（以下、まとめて演出装置５ともいう）などを備えるセンター役物６（装飾装置）が配置されており、その下方に始動入賞口７や大入賞口８が配置されている。
【００２３】
なお、本明細書において、遊技機１における上下方向とは遊技盤２の盤面２ａに沿う態様で遊技球が流下する方向（鉛直方向）を意味する。また、左右方向とは遊技盤２の盤面２ａに沿う態様で上下方向に直交する方向（水平方向）を意味する。また、前後方向とは遊技盤２の盤面２ａに直交する方向（水平方向）を意味し、盤面２ａの遊技者側が前側であり、盤面２ａの奥側が後側である。
【００２４】
次に、演出装置５について詳しく説明する。なお、以下の説明では、発光装置４の左側に配置された演出装置５ａについて詳しく説明する。演出装置５ａは、図２ないし図４に示すように、遊技盤２に配設されるセンター役物６（装飾装置本体）の前面に配置されて取り付けられる取付板１０と、直線的に変位するプランジャ２２を有するソレノイド２０と、そのプランジャ２２と連繋される梃子部材３０と、取付板１０の第２の表面である前面１０ｂ側で梃子部材３０に連結されて演出動作する飾り部材４０と、取付板１０の第１の表面である後面１０ａ側に取り付けられソレノイド２０及び梃子部材３０を収容するケース体５０とを備えている（図４参照）。なお、演出装置５ａは、センター役物６の前面に限らず、液晶表示装部３の前方に位置する内壁面などに取付板１０を配置してもよい。また、演出装置５ａは、例えば遊技領域２ｂ外の遊技盤２の盤面２ａに配置してもよい。その場合には、取付板１０を遊技盤２の盤面２ａに直接固定することとなる。
【００２５】
取付板１０は、左右方向を長手方向とし、厚さ方向（前後方向）に貫通形成される開口部１１を有する。開口部１１は、図４（ａ）に示すように、ケース体５０の一側部から中心部（プランジャ２２の略中心部）までの間隔に対応して左右方向に延びる形で貫通形成されている。このように、開口部１１を極力小さく形成することで、前から飾り部材４０で開口部１１を覆うことができ、開口部１１によって美観を損なうことがなくなる。なお、開口部１１は、取付板１０の外周縁から切欠状に形成してもよい。
【００２６】
ソレノイド２０は、通常のソレノイドを使用することができ、取付板１０の後面１０ｂ側で前後方向（取付板１０の厚み方向）にプランジャ２２が直線的に変位するとともに、そのプランジャ２２の前端部に形成されたヘッド部２３が取付板１０に近い前方側の突出位置（図４参照）と取付板１０に遠い後方側の後退位置（図５参照）との間で変位するように配置される。また、ソレノイド２０は、電流を通電させることで電磁力によりプランジャ２２を後退位置側に変位させるコイル（図示せず）を備える本体部２１と、ヘッド部２３を介してプランジャ２２を突出位置側に付勢するコイルばね（弾性部材）２４を備えている。
【００２７】
梃子部材３０は、梃子本体部３１と、その梃子本体部３１から延設されるアーム部３２とを備えている。また、梃子部材３０は、遊技盤２の盤面２ａ（取付板１０）に平行な回動軸線Ｏ１周りに回動可能に取り付けられ、アーム部３２が取付板１０の開口部１１を介して後面１０ａ側から前面１０ｂ側に跨って延びるように取り付けられる。具体的には、梃子本体部３１には、ソレノイド２０のプランジャ２２のヘッド部２３に連繋される係合部３３や、ケース体５０に軸支される一対の回動軸３４，３４、並びにケース体５０の内壁に当接して回動軸線Ｏ１周りの回動範囲を規制するために周方向に突設された第１ストッパ部３５及び第２ストッパ部３６等が形成されている。
【００２８】
したがって、ソレノイド２０のプランジャ２２のヘッド部２３の突出位置と後退位置との間の変位により、アーム部３２の先端部３２ａが取付板１０の前面１０ｂ側における所定の第１位置と第２位置との間で変位することとなる。すなわち、プランジャ２２のヘッド部２３が突出位置のときには、図４（ａ）に示すように、梃子部材３０の第１ストッパ３５がケース体５０の内壁に当接してアーム部３２の先端部３２ａが取付板１０の前面１０ｂ側における所定の第１位置に変位し、プランジャ２２のヘッド部２３が後退位置のときには、図５（ａ）に示すように、梃子部材３０の第２ストッパ３６がケース体５０の内壁に当接してアーム部３２の先端部３２ａが取付板１０の前面１０ｂ側における所定の第２位置に変位する。
【００２９】
また、梃子部材３０は、取付板１０の前面１０ｂ側から見たとき（前から見たとき）、回動軸線Ｏ１がソレノイド２０の本体部２１と重なるように取り付けられている（図４（ａ）参照）。また、梃子部材３０は、取付板１０の前面１０ｂ側から見たとき（前から見たとき）、アーム部３２の先端部３２ａがソレノイド２０の本体部２１と重なる領域内で変位するように取り付けられている（図４（ａ），図５（ａ）参照）。また、梃子部材３０のアーム部３２は、基端部３２ｂから先端部３２ａにかけて回動軸線Ｏ１と先端部３２ａとを繋ぐ直線Ｌに対して側方に膨らむ形態でクランク状、フック状又はコ字状に形成されている。したがって、アーム部３２を直線Ｌに対して側方に膨らむ形態で形成することにより、アーム部３２の先端部３２ａがソレノイド２０の本体部２１と重なる領域内で最大限大きく移動するように形成した場合にも、上述の如く、取付板１０の開口部１１はケース体５０の一側部から中心部（プランジャ２２の略中心部）までの間隔だけで対応でき、通常時における開口部１１を遮蔽するとともに、迫力ある演出動作を可能とする相乗効果を奏する。
【００３０】
飾り部材４０は、卵形状をなす本体部の下端から棒状の本体下部が延出形成されている。また、飾り部材４０には、自身を固定する固定部４１が突設され、その固定部４１がビスなどの締結部材４２を介してアーム部３２の先端部３２ａに連結される。これにより、飾り部材４０は、梃子部材３０のアーム部３２に一体的に取り付けられ、アーム部材３２の変位とともに同時に変位する。したがって、プランジャ２２のヘッド部２３の突出位置と後退位置との間の変位により、取付板１０の前面１０ｂ側の所定の第１位置と第２位置との間で演出動作する。ここで、飾り部材４０は、例えば卵形状の本体部をゴム、シリコーンゴム、エラストマーなどの質がやわらかい（軟質）又は柔軟性を有する材質や、ポリカーボネート樹脂やＡＢＳ樹脂などの質が硬く一定の形体を有する（固形）材質で形成することができる。また、飾り部材として卵形状などのほかに複数の線材を束ねた房形状をなす飾り部材を使用して演出効果を高めることができる。
【００３１】
なお、飾り部材４０は、アーム部３２の先端部３２ａに対して固定部４１で回動可能に連結することができる。これによれば、飾り部材４０が、アーム部３２の変位における慣性力により、先端部３２ａを中心として回動可能となり、動作の幅が広がり演出効果をより一層高めることができる。
【００３２】
ケース体５０は、梃子部材３０の回動軸線Ｏ１方向に分割されるベース体５１とカバー体５２とで形成されている。また、ベース体５１及びカバー体５２には、梃子部材３０の回動軸３４，３４をそれぞれ軸支するための軸孔５１ａ，５２ａが形成されている。そして、ベース体５１及びカバー体５２は、ソレノイド２０及び梃子部材３０を狭持して収容する。
【００３３】
ここで、ベース体５１には、ソレノイド２０を収容した際のプランジャ２２の中心軸に対して軸孔５１ａと対称的な位置に、同大きさの貫通孔５１ｂが形成されている。また、カバー体５２には、ソレノイド２０を収容した際のプランジャ２２の中心軸に対して軸孔５２ａと対称的な位置に、同大きさの貫通孔５２ｂが形成されている。したがって、梃子部材３０に対応する梃子部材をケース体５０内で対称的に配置して、貫通孔５１ｂ，５２ｂを回動軸の軸孔として利用することができ、ケース体５０を演出装置５ｂにおいて共通部品として使用することができる。すなわち、ケース体５０には、梃子部材の回動軸を軸支する一対の軸孔が２対プランジャの中心軸に対して対称的に形成されている。
【００３４】
次に、図４及び５を用いて、以上のような構成を有する演出装置５の作動を説明する。まず、このような演出装置５は、遊技盤２上での作動として、始動入賞口７へ遊技球が入賞すると当否抽選が実行され、その抽選結果が大当たりであると、液晶表示部３に大当たり図柄（例えば、「７，７，７」のゾロ目）が表示されるときに、その液晶表示部３の演出に併せて作動し、遊技者に視覚的な興趣を高める。すなわち、演出装置５のソレノイド２０が通電（励磁）されて、梃子部材３０を介して飾り部材４０を第１位置から第２位置に変位させる。そして、ソレノイド２０の通電が解除（消磁）されて、飾り部材４０を第２位置から第１位置に変位（復帰）させる。この一連の作動がタイミングや早さ、間隔などを変化しつつ繰り返され、飾り部材４０が可動することで、効果的に演出を施すことができる。
【００３５】
本発明では遊技機の一例としてぱちんこ機について説明したが、他に例えばアレンジボール遊技機、雀球遊技機等の演出装置が設けられる遊技機に適用することができ、上記実施例に限定されるものではなく、特許請求の範囲の趣旨を逸脱しない限りにおいて、目的、用途に応じて当業者の知識に基づく種々の変更が可能である。
【図面の簡単な説明】
【００３６】
【図１】本発明の実施形態に係る遊技機の一例を示す正面図。
【図２】本発明の実施形態に係る遊技機用演出装置の一例を示す斜視図。
【図３】図２の演出装置の分解斜視図。
【図４】ソレノイドが消磁状態における使用状態を示す説明図。
【図５】ソレノイドが励磁状態における使用状態を示す説明図。
【符号の説明】
【００３７】
１  ぱちんこ機（遊技機）
２  遊技盤
２ａ  盤面
２ｂ  遊技領域
２ｃ  ガイドレール
３  液晶表示部
４  発光装置
５，５ａ，５ｂ  演出装置（遊技機用演出装置）
６  センター役物（装飾装置）
７  始動入賞口
８  大入賞口
１０  取付板
１１  開口部
２０  ソレノイド
２１  本体部
２２  プランジャ
２３  ヘッド部
３０  梃子部材
３１  梃子本体部
３２  アーム部
３３  係合部
３４  回動軸
３５  第１ストッパ部
３６  第２ストッパ部
４０  飾り部材
５０  ケース体
５１  ベース体
５１ａ，５２ａ  軸孔
５１ｂ，５２ｂ  貫通孔
５２  カバー体
Ｏ１  回動軸線
【図１】
2010029577.tif 000003
【図２】
2010029577.tif 000004
【図３】
2010029577.tif 000005
【図４】
2010029577.tif 000006
【図５】
2010029577.tif 000007